(57)【要約】  容器への挿入のために適合されたバッグ（１０）および該バッグを折り畳む方法が開示される。該バッグは、２つのパネル（１４、１６）および該パネルの間を通る首部分（３０）を有する。該首部分は、アルコール飲料が該バッグの内外へと通過し得る該パネルの間の該バッグへと延びるスペア（３４）を有する。該バッグは、該スペアに直角に延びる該パネルの各々上に第１の複数の折り畳み（５０）を有する。該バッグの第１の側面は、該スペアに平行に延びる折り目に沿って、複数の折り畳み部分において、第１のらせん様様式（７０）で、それ自体の上に内側へと折り畳まれる。該バッグの第２の側面は、該スペアに平行に延びる折り目に沿って、複数の折り畳み部分において、第２のらせん様様式（７８）で、それ自体の上に内側へと折り畳まれる。
2007537948.tif 000002
【特許請求の範囲】
【請求項１】
容器への挿入用のバッグの製法であって、ここに、該バッグは、２つのパネルおよび該パネルの間を通る首部分を含み、ここに該首部分は、該パネルの間の該バッグへと延びるスペア部分を有し：
ａ）該スペアに直角に延びる複数の折り目に沿って該パネルの各々を折り畳むことによって、該バッグを第１の折り畳み状態へと折り畳み；
ｂ）該スペアに平行に延びる折り目に沿って、複数の折り畳み部分において、第１のらせん様様式で、該第１の折り畳み状態の該バッグの第１の側面を、それ自体の上に内側に折り畳むことによって、該バッグを第２の折り畳み状態へと折り畳み；
ｃ）該スペアに平行に延びる折り目に沿って、複数の折り畳み部分において、第２のらせん様様式で、該第２の折り畳み状態の該バッグの第２の側面を、それ自体の上に内側に折り畳むことによって、該バッグを第３の折り畳み状態へと折り畳み；
ｄ）該バッグを、該容器への挿入のために、該第３の折り畳み状態で維持するために、該第３の折り畳み状態の該バッグに解除式ファスナーを適用する工程を含む該方法。
【請求項２】
さらに、該首部分を通って、該バッグに真空を適用して、該バッグを空にする工程を含む請求項１記載の方法。
【請求項３】
該バッグを第２の折り畳み状態に折り畳む前に、該第１の折り畳み状態の該バッグの第１の側面の角を、該バッグの中心へと折り畳んで、隣接する側壁を有する２つの三角形フラップを形成する請求項１記載の方法。
【請求項４】
該バッグを第２の折り畳み状態に折り畳む前に、該第１の折り畳み状態の該バッグの第２の側面の角を、該バッグの中心へと折り畳んで、隣接する側壁を有するさらなる２つの三角形フラップを形成する請求項３記載の方法。
【請求項５】
該バッグを該第１の折り畳み状態に折り畳む工程の間、該パネルの各々が、隣接するブランチと部分的に重なる複数の折り畳みブランチを有する請求項４記載の方法。
【請求項６】
該パネルの各々が、該首部分と近接した第１の折り畳みブランチを有する請求項５記載の方法。
【請求項７】
該第１の折り畳み状態にある時に、該スペアが該バッグの下部分に隣接して延びる請求項４記載の方法。
【請求項８】
該解除式ファスナーが穴の開いたテープを含み、ここにテープの目打ちは該バッグと接触していない請求項４記載の方法。
【請求項９】
該第１および第２のらせん様様式が同じ方向にらせん形になる請求項４記載の方法。
【請求項１０】
容器への挿入用のバッグの製法であって、ここに、該バッグは２つのパネルを含み、首部分は該パネルの間を通り、ここに該首部分は該パネルの間の該バッグへと延びるスペア部分を有し：
ａ）該バッグを該パネルと隣接する位置に置き；
ｂ）該首部分を通して真空を適用して、該バッグを部分的に空にし；
ｃ）該スペアに直角に延びる複数の折り目に沿って、該パネルの各々を折り畳むことによって、該バッグを第１の折り畳み状態に折り畳み；
ｄ）さらに該首部分を通して該バッグに真空を適用して、さらに該バッグを空にし；
ｅ）該第１の折り畳み状態の該バッグの第１の側面の角を折り畳んで、隣接する側壁を有する２つの三角形フラップを形成することによって、該バッグを第２の折り畳み状態に折り畳み；
ｆ）該スペアに平行に延びる折り目に沿って、複数の折り畳み部分において、第１のらせん様様式で、該第２の折り畳み状態の該バッグの第１の側面を、それ自体の上に内側に折り畳むことによって、該バッグを第３の折り畳み状態へと折り畳み；
ｇ）該スペアに平行に延びる折り目に沿って、複数の折り畳み部分において、第２のらせん様様式で、該バッグの第２の側面を、それ自体の上に内側に折り畳むことによって、該バッグを第４の折り畳み状態へと折り畳み；
ｈ）該バッグを、該容器への挿入のために、該第４の折り畳み状態で維持するために、該第４の折り畳み状態の該バッグに解除式ファスナーを適用し；
ｉ）さらに該バッグに真空を適用する工程を含む該方法。
【請求項１１】
該バッグを該第１の折り畳み状態に折り畳む工程の間、該パネルの各々が、隣接するブランチと部分的に重なる複数の折り畳みブランチを有する請求項１０記載の方法。
【請求項１２】
該パネルの各々が、該首部分と近接した第１の折り畳みブランチを有する請求項１１記載の方法。
【請求項１３】
該第１の折り畳み状態にある時に、該スペアが該バッグの下部分に隣接して延びる請求項１０記載の方法。
【請求項１４】
さらに、該首部分を通って該バッグに真空を適用して、さらに該バッグを、−０．７バールの圧力まで空にする工程を含む請求項１０記載の方法。
【請求項１５】
該バッグを第２の折り畳み状態へと折り畳む工程が、さらに、該バッグの第２の側面の角を、該バッグの中心へと折り畳んで、隣接する側壁を有する２つの三角形フラップを形成する工程を含む請求項１０記載の方法。
【請求項１６】
該解除式ファスナーが穴の開いたテープを含み、ここにテープの穴は該バッグと接触しない請求項１０記載の方法。
【請求項１７】
該第１および第２のらせん様様式が、同じ方向でらせん形となる請求項１０記載の方法。
【請求項１８】
容器への挿入のために適合された折り畳みバッグであって、ここに該バッグは２つのパネルを含み、首部分は該パネルの間を通り、ここに該首部分は、該パネルの間の該バッグへと延びるスペア部分を有し：
該スペアに直角に延びる該パネルの各々上の第１の複数の折り畳み；
該スペアに平行に延びる折り目に沿って、複数の折り畳み部分において、第１のらせん様様式で、それ自体の上に内側へと折り畳まれる該バッグの第１の側面；および
該スペアに平行に延びる折り目に沿って、複数の折り畳み部分において、第２のらせん様様式で、それ自体の上に内側へと折り畳まれる該バッグの第２の側面を含む該バッグ。
【請求項１９】
さらに、該容器への挿入のために、その折り畳み状態で該バッグを維持するために、該バッグを少なくとも部分的に取り囲む解除式ファスナーを含む請求項１８記載のバッグ。
【請求項２０】
ファイ第１および第２のらせん様様式が同じ方向で延びる請求項１９記載のバッグ。
【請求項２１】
容器への挿入のために適合された折り畳みバッグであって、ここに該バッグは２つのパネルを含み、首部分は該パネルの間を通し、ここに該首部分は該パネルの間の該バッグへと延び：
該スペアに直角に延びる該パネルの各々上の第１の複数の折り畳み；
該バッグの中心へと折り畳まれて、隣接する側壁を有する第１および第２の側面の各々上に２つの三角形フラップを形成する該バッグの該第１および第２の側面上の２つの折り畳み角；
該スペアに平行に延びる折り目に沿って、複数の折り畳み部分において、第１のらせん様様式で、それ自体の上に内側へと折り畳まれる該バッグの第１の側面；および
該スペアに平行に延びる折り目に沿って、複数の折り畳み部分において、第２のらせん様様式で、それ自体の上に内側へと折り畳まれる該バッグの第２の側面を含む該バッグ。
【請求項２２】
さらに、該容器への挿入のために、その折り畳み状態で該バッグを維持するために、該バッグを少なくとも部分的に取り囲む解除式ファスナーを含む請求項２１記載のバッグ。
【請求項２３】
該パネルの各々上の該第１の複数の折り畳みが、対応するブランチと部分的に重なる複数の折り畳みブランチを含む請求項２１記載のバッグ。
【請求項２４】
該パネルの各々が、該首部分に近接した第１の折り畳みブランチを有する請求項２３記載のバッグ。
【請求項２５】
該スペアが、該バッグの下部分に隣接して延びる請求項２１記載のバッグ。
【請求項２６】
該解除式ファスナーが穴の開いたテープを含み、ここに、テープの穴が該バッグと接触しない請求項２１記載のバッグ。
【請求項２７】
該第１および第２のらせん様様式が同じ方向でらせん形となる請求項２１記載のバッグ。
【発明の詳細な説明】
【技術分野】
【０００１】
本発明は、容器に挿入するためのアルコール飲料バッグの製法および折り畳みバッグに関する。
【背景技術】
【０００２】
該バッグが、例えば、ビールまたはワインのようなアルコール飲料で満たされている時、該バッグが収容された該容器の形状に該バッグが似ている様式で、アルコールバッグを組み立てることは知られている。
【０００３】
該バッグを使用してビールを含有する適用において、該バッグは、典型的には、一般的には管状形を有する樽に収容される。該バッグは、該樽に固定された首部分を有する。該バッグは空気を抜かれ、樽開口部を通り過ぎ、次いでビールで満たされる。ビールが樽から分注された後、該バッグは該開口部を通って取り外される。典型的には、該バッグは、管状形シートによって間隔を設けられた２つの円形パネルを含む。該シートは、その端で該円形パネルに融着されて、２つの端シームを形成する。また、該シートはその長さに沿って融着されて、第３のシームを形成する。第４のシームは、該首が、該円形パネルのうちの１つを通るところで作成される。
【０００４】
別法として、該バッグは、一緒に融着された末端を有する第１のパネルおよび第２のパネルを含んで、第１のシームを形成してもよい。該第１および第２のパネルの各々は、該樽に対する断面積より大きい面積を有する。該樽断面積に対する該パネルのこの大きさは、該バッグ内部空間を拡大して、該樽の容量に近づくように、バッグを満たす間、該パネルを離しておくことを可能にする。該バッグは、該第１のパネルの開口部を通るまたはパネル間のシームにおいて、開口首部分を有する。次いで、該バッグは該首部分に融着される。
【０００５】
該樽へのバッグ挿入の間、問題が起こる。典型的には、該樽は、該開口部のサイズが、該バッグ首部分のサイズに対応する該バッグを受け取るための開口部を有する。従って、該開口部のサイズは、該バッグのかさよりずっと小さい。このため、該バッグを該樽に挿入することが困難になる。さらに、該樽への取り付けの間、該バッグを破裂させないように注意しなければならない。該バッグを折り畳んで、該バッグを該樽に挿入することは知られているが、該容器内での充填の間、該バッグを破裂させずに、該折り畳まれたバッグは、すぐに膨らむことが可能でなければならない。さらに、該バッグの折り畳みは、該バッグが広がるにつれ、ビールが該バッグの全容量を満たすのを妨げるねじれが存在していない方法で、作成される必要がある。従って、該バッグが容器にすぐに挿入されることが可能とし、該バッグの充填の間、広がって、該容器内ですぐに膨らむ様式で折り畳まれたバッグへの必要性が存在する。
【発明の開示】
【０００６】
発明の概要
本発明は、容器への挿入に適合された折り畳みバッグおよび膨らんで、該容器の空間を満たすように、該バッグの充填の間、該バッグがすぐに広がることができるバッグを折り畳む方法に関する。
【０００７】
本発明に従って、該バッグは２つのパネルおよび該パネルの間を通る首部分を有する。該パネルは、シームに沿って一緒に融着された長方形パネルまたは２つの対合パネルへと平らにされた他の構造のバッグを含み得る。該首部分は、飲料が該バッグの内外へと通る該パネルの間の該バッグへと延びるスペア部分を有する。該バッグは、該スペアに直角に延びる該パネルの各々の上に、第１の複数の折り畳みを有する。該第１の複数の折り畳みを有する該バッグの第１の側面は、スペアに対して平行に延びる折り目に沿って、複数の折り畳み部分において、第１のらせん様様式で、それ自体の上に内側に折り畳まれる。該第１の複数の折り畳みを有する該バッグの第２の側面は、スペアに対して平行に延びる折り目に沿って、複数の折り畳み部分において、第２のらせん様様式で、それ自体の上に内側に折り畳まれる。
【０００８】
好ましくは、該バッグは、該容器への挿入のために、その折り畳み状態で該バッグを維持するために、該バッグを少なくとも部分的に取り囲む解除式ファスナーを有する。該ファスナーは、該バッグの充填の間、該バッグから解除されて、それによる該バッグが広がるように適合される。好ましくは、該第１および第２のらせん様様式は、同じ方向でらせん形になる。好ましくは、該バッグの該第１の側面上の２つの折り畳まれた角は、該バッグの中心へと折り畳まれて、隣接する側壁を有する２つの三角形フラップを形成する。
【０００９】
本発明の折り畳みバッグは：
ａ）該スペアに直角に延びる複数の折り目に沿って該パネルの各々を折り畳むことによって、該バッグを第１の折り畳み状態へと折り畳み；
ｂ）該スペアに平行に延びる折り目に沿って、複数の折り畳み部分において、第１のらせん様様式で、該第１の折り畳み状態の該バッグの第１の側面を、それ自体の上に内側に折り畳むことによって、該バッグを第２の折り畳み状態へと折り畳み；
ｃ）該スペアに平行に延びる折り目に沿って、複数の折り畳み部分において、第２のらせん様様式で、該第２の折り畳み状態の該バッグの第２の側面を、それ自体の上に内側に折り畳むことによって、該バッグを第３の折り畳み状態へと折り畳み；
ｄ）該バッグを、該容器への挿入のために、該第３の折り畳み状態で維持するために、該第３の折り畳み状態の該バッグに解除式ファスナーを適用する工程を含む方法によって作成され得る。
【００１０】
発明の詳細な記載
図１を参照して、容器における使用に好ましい構成を有するバッグ１０が示される。該バッグ１０は、アルコール飲料を収容するためおよびビールを収容するための好ましい具体例における使用に適当である。該バッグ１０は柔軟であり、好ましくは２層のプラスチック物質または末端２０に沿って一緒に融着されたパネル１４および１６を含む。該パネル１４および１６は、一般的には、形状が長方形である。各パネルは、末端に沿って接合された１以上の層のプラスチック物質を含み得、これらの層は一緒に積層される必要はないことが理解されるべきである。
【００１１】
該パネル１０は、該第１および第２のパネル１４、１６の間のシーム部分を通って位置された開口部２４を有する。首部分３０は、該開口部２４を通って延び、融着３２によって該パネル１４、１６に固定される（図２参照）。該首３０は、典型的には、ゴム様物質を含み、アルコールまたはビールが、該パネル１４および１６の間の空間または容積へと満たされるスペアまたは管通路３４（図２）を有する。
【００１２】
本発明に従って、図１の該バッグ１０の該首部分３０は、典型的には、この好ましい具体例において、該バッグが挿入される容器の開口部に対応する断面積または直径を有することが理解されるべきである。いくつかの具体例において、密閉するまたは該容器内に該首３０を確実に配置するように、固定リングまたは中間リング（示されず）が該首３０を取り囲む。図１に示されるように、該首３０の下の該バッグ１０の断面積は、該容器開口部の断面積または直径より十分に大きいことが理解されるべきである。また、本明細書中で利用される図面は説明の目的のためであって、バッグ１０の該首３０の切断面の正確な寸法が縮小されていないことが理解されるべきである。
【００１３】
該容器内に該バッグ１０を効率よく挿入し、取り付けるために、本発明の方法は、該容器に挿入するための該バッグ１０を調製することを含む。
【００１４】
該第１の工程は、図１に示される該隣接する位置に、該パネル１４、１６を有する該バッグ１０を配置することである。この段階にて、真空を該首部分３０を介して適用して、該バッグ１０を部分的に空にする。いくらかの空気が該バッグ１０の中に残って、該パネル１４、１６の各々がお互いから別れて、該第１の折り畳み工程を提供することが重要である。
【００１５】
該第１の折り畳み工程は、該スペア２３に直角に延びる複数の折り目５０に沿って、該パネル１４、１６の各々を折り畳むことによって、該バッグ１０を第１の折り畳み状態に折り畳むことである。該第１の折り畳み状態は、図２、３および４に示され、ここに、該パネル１４、１６の各々は、図４で最も良く分かるように、隣接するブランチ５２と部分的に重なる複数の折り畳みブランチを有する。該パネル１４、１６の各々は、図２で分かるように、該首部分３４に近接した第１の折り畳みブランチ５２ａを有する。該折り畳みブランチ５２は、フラップから等距離にあり、図３で最も分かるように、該バッグ１０の幅に沿って均一である。該スペア３４は、該第１の折り畳み状態において、該バッグ１０の下部分５６に隣接して延びる。示された具体例において、５つのそのような折り畳みフラップまたはブランチ５２がある。
【００１６】
この段階にて、さらなる真空を、該首部分３４を介して適当して、さらに、バッグ１０を空にする。好ましくは、該バッグは、−０．７バールの圧力まで空にされる。
【００１７】
次に、該バッグ１０を、折り目６３に沿って該バッグ１０の中心６２へと、該第１の折り畳み状態において、該バッグ１０の第１の側面６０の角５８を折り畳んで（図１参照）、隣接する側壁６６を有する２つの三角形フラップ６４を形成することによって、図５に示されるように、第２の折り畳み状態へと折り畳む。該示された具体例において、この角フラップ折り畳みは、該第１の側面においてのみ起こる。しかしながら、代替の具体例において、該同様の角フラップ折り畳みは、該バッグ１０の第２の側面６８において起こり得る。これらのさらなる２つの角フラップは、該第１のフラップ６４のように、該バッグ１０の同一側面上または該バッグ１０の他の側面上にあってもよい。
【００１８】
次に、図６において最も良く分かるよう、該バッグ１０は、折り目７４に沿って、複数の折り畳み部分７２において、７０で一般的に示される第１のらせん様様式で、該第２の折り畳み状態の該バッグの第１の側面６０を、それ自体の上に内側に折り畳むことによって（図１参照）、第３の折り畳み状態へと折り畳まれる。該折り目７４は、該スペア３４に平行に延びる。次に、図６において最も良く分かるように、該バッグ１０は、折り目８０に沿って、複数の折り畳み部分７８において、７６で一般的に示される第２のらせん様様式で、該バッグの第２の側面６８を、それ自体の上に内側に折り畳むことによって（図１参照）、第４の折り畳み状態へと折り畳まれる。また、該折り目８０は、該スペア３４に平行に延びる。一般的には内側にらせん形になるが、該折り畳み部分７２、７８は、対応する折り目７４、８０に沿って該バッグ１０の屈曲のため、完全ならせんを形成しないことは理解されるべきである。好ましくは、該側面６０および６８は、同じらせん反時計回り方向で内側にらせん形となる。別法として、該側面６０、６８は、同じ時計回り方向または反対の時計回り／反時計回り方向でらせん形となってもよい。
【００１９】
次ぐに、穴の開いたテープ８２の形態の解除式ファスナーは、該容器への挿入のために、該第４の折り畳み状態で該バッグ１０を維持するために、該第４の折り畳み状態の該バッグ１０に適用される。該テープ８２の穴は、該テープがこれらの穴に沿って裂かれ得るように、該バッグ１０と接触しない関係で配置される。
【００２０】
次いで、さらなる真空を、好ましい方法において、該バッグ１０に適用する。この方法に従って、容器への挿入の準備が出来た折り畳みバッグ１０が達成される。
【００２１】
さらに、一旦、該容器へと挿入されると、該バッグは、まず、該首部分３４を通って、該バッグ１０に圧力を適用して、該穴の開いたテープ８２を破くことによって、膨らむことができる。該バッグ１０は、まず該らせん側面を解いて、次いで該ブランチを膨らませることによって、ねじれることなく、すぐに広がる。従って、本発明は、後に飲料で満たされた時に、膨らむことができる容器の開口部を取って挿入可能な折り畳みバッグを提供する。
【００２２】
本発明の性質および目的をより良く理解するために、添付の線図に言及してもよい：
【図面の簡単な説明】
【００２３】
【図１】図１は、平らな状態で示された本発明のバッグの透視図である。
【図２】図２は、第１の折り畳みブランチによって示された本発明のバッグの頂部の断面図である。
【図３】図３は、第１の折り畳みブランチ２によって示されたバッグの側面図である。
【図４】図４は、第１の折り畳みブランチを有するバッグの側断面図である。
【図５】図５は、折り畳み角フラップを有するその１側面によって示されたバッグの図である。
【図６】図６は、らせん様様式で折り畳まれた両方の側面を示し、バッグに付着した穴の開いたテープを有するバッグの平面図である。
【図１】
2007537948.tif 000003
【図２】
2007537948.tif 000004
【図３】
2007537948.tif 000005
【図４】
2007537948.tif 000006
【図５】
2007537948.tif 000007
【図６】
2007537948.tif 000008
【国際調査報告】
2007537948.tif 000009
2007537948.tif 000010